(57)【特許請求の範囲】
【請求項１】
ロール外周に先端が先端止めテープで固定された状態で出荷された記録紙ロールを収納するための記録紙ロール用給紙マガジンにおいて、
この記録紙の先端が送り出される記録紙出入口と、
該記録紙ロールを給紙方向と巻戻し方向とに回転させる駆動手段と、
前記記録紙出入口の奥に、前記記録紙ロールの外周に弾性をもって接触し、前記記録紙ロールが巻き戻し方向に逆転された後、給紙方向に正転される際に、前記記録紙の先端に当接して記録紙ロールから先端を分離させて記録紙出入口に導く分離板と、
前記記録紙ロールが最大径の時にその外周面に当接するように設けられ、前記先端止めテープが剥がされずにセットされた場合には、前記記録紙ロールの逆転中に、前記先端止めテープの端部に当接し、前記記録紙ロールの回転を止めるテープ受け止め板と、
前記記録紙ロールの回転が停止されたときに前記先端止めテープの剥がし忘れを警告する警告手段とを備えたことを特徴とする記録紙ロール用給紙マガジン。
【発明の詳細な説明】
【０００１】
【発明の属する技術分野】
本発明は、感熱記録紙や印画紙等の記録紙ロールを収納し、プリンタに着脱自在にセットされる記録紙ロール用給紙マガジン及び記録紙ロール用先端止めテープに関するものである。
【０００２】
【従来の技術】
業務用として用いられる写真プリンタやカラー感熱プリンタでは、長尺の記録紙をロール状に巻いた記録紙ロールが使用され、プリント後に規定の大きさにカットしている。これらの印画紙やカラー感熱記録紙は、感光性や光定着性が付与されているため、保湿能と遮光能とを備えた記録紙ロール用給紙マガジン（以下、給紙マガジンという。）に収納された状態で、プリンタにセットされている。
【０００３】
上記給紙マガジンは、保湿性と遮光性とを備えた材質で成形されたマガジン本体と、このマガジン本体に記録紙ロールを出し入れする際に開かれるマガジン蓋とから構成されている。また、マガジン本体には、プリンタ側からの駆動によって記録紙ロールを回転させるロール駆動機構と、記録紙の先端が引き出される記録紙出入口とが設けられている。さらに、マガジン本体内部の記録紙出入口近傍には、記録紙ロールが正転したときに、記録紙ロール外周面に当接して記録紙の先端を分離して、記録紙出入口に向かわせるための分離板が設けられている。
【０００４】
この分離板によって分離され、記録紙出入口から引き出された記録紙は、その先端がプリンタ側に設けられた搬送ローラにニップされてプリント部へ搬送される。プリント終了後、プリンタ部で画像が記録された記録紙は、切り離されてプリンタ外へ排出される。他方、残りの記録紙は、ロール駆動機構が逆転することによって、記録紙ロールへ巻き戻されてカートリッジ内部に収められる。
【０００５】
【発明が解決しようとする課題】
給紙方向への正転と、巻き戻し方向への逆転とが断続的に繰り返されると、マガジン本体内部に収納された記録紙ロールに巻き緩みが生じてしまう。この記録紙ロールの巻き緩みは、マガジン本体内でのジャミングやプリンタのプリント部内での斜行の原因となる。
【０００６】
この巻き緩みは、記録紙ロールを正転させて、記録紙の先端を送り出す前に、記録紙ロールを巻き戻し方向に逆転させて、当接した駆動ローラとの協働によって巻き締めることで吸収することが可能である。
【０００７】
ところで、このような記録紙ロールの先端には、出荷時に、輸送途中や保管中の巻き緩みを防止するために先端止めテープが貼られている。記録紙ロールを交換する際に、誤ってこの先端止めテープを剥がし忘れてマガジン本体内にセットする場合がある。この場合には、記録紙ロールの給紙方向への正転時に、前記分離板に、先端止めテープの端部が引っかかるため、分離板が破損してしまうという問題が生じる。
【０００８】
本発明は、上記問題点を解決するためのもので、先端止めテープを剥がし忘れて記録紙ロールをセットした場合でも、分離板の破損を防止することができる給紙マガジン及び記録紙ロール用先端止めテープを提供することを目的とする。
【０００９】
【課題を解決するための手段】
上記課題を達成するために、本発明の給紙マガジンは、ロール外周に先端が先端止めテープで固定された状態で出荷された記録紙ロールを収納するための記録紙ロール用給紙マガジンにおいて、この記録紙の先端が送り出される記録紙出入口と、該記録紙ロールを給紙方向と巻戻し方向とに回転させる駆動手段と、前記記録紙出入口の奥に、給紙方向に正転される記録紙ロールの外周に弾性をもって接触し、記録紙の先端に当接して記録紙ロールから先端を分離させて記録紙出入口に導く分離板と、前記記録紙ロールが最大径の時にその外周面に当接するように設けられ、前記先端止めテープが剥がされずにセットされた場合には、前記記録紙ロールが巻き戻し方向に逆転される際に、前記先端止めテープの端部に当接し、前記記録紙ロールの回転を止めるテープ受け止め板とを備えたことを特徴とするものである。
【００１０】
また、給紙マガジンに収納される記録紙ロール用の先端止めテープについて、前記テープ受け止め板に当接する前記端部を、粘着剤が塗られていない非粘着面としてもよい。
【００１１】
【発明の実施の形態】
図２は、カラー感熱プリンタで用いられる給紙マガジン３の外観を示すものである。給紙マガジン３は、略円柱形状としており、一方の側面に設けられたグリップ４を握持して矢印Ｘ方向からカラー感熱プリンタにセットされる。この給紙マガジン３は、保湿性と遮光性とを有するプラスチックで成形された半円筒形状のマガジン本体５と、このマガジン本体５を開閉するマガジン蓋６とから構成されている。
【００１２】
図３に示すように、マガジン蓋６は、マガジン本体５にヒンジ部８を介して取り付けられて開閉自在となっている。マガジン蓋６の外周には、給紙マガジン３内を光密に維持するとともに、湿気やゴミ等の侵入を防止するパッキン９が嵌め込まれている。マガジン本体５の両側面には、針金を屈曲して形成されたロック部材１０が回動自在に取り付けられている。このロック部材１０は、図２に示すようにマガジン蓋６が閉じられた状態で、マガジン蓋６の両側辺に形成された突条部６ａに掛けられ、マガジン蓋６が不用意に開放しないようにロックする。
【００１３】
記録紙ロール１８は、紙又はプラスチック等の巻芯に長尺のカラー感熱記録紙２が巻き付けられて形成されている。この記録紙ロール１８を給紙マガジン３にセットする場合には、巻芯の両端に円板状のフランジ２０が取り付けられる。各フランジ２０には、その中央に回転軸１９が設けられている。
【００１４】
工場出荷時には、記録紙ロール１８は、図４（Ａ）、（Ｂ）に示すように、輸送途中や、保管中の巻き緩みを防止するために、カラー感熱記録紙２の先端２ａを記録紙ロール１８の外周面上に固定する先端止めテープ２１が貼り付けられる。そして、その状態で、保湿能と遮光能を備えた黒色の包装袋に入れられて梱包される。この先端止めテープ２１の片面には、粘着剤２５が塗布されているので、前記先端２ａは記録紙ロール１８の外周面上にしっかりと固定される。未使用の記録紙ロール１８を給紙マガジン３へセットする際には、この先端止めテープ２１が剥がされる。
【００１５】
図５に示すように、マガジン本体５の正面には、カラー感熱記録紙２が給紙マガジン３に出入りする記録紙出入口１２が設けられている。また、この記録紙出入口１２の前面側には、記録紙出入口１２を保護する外装部材１３が取り付けられており、この外装部材１３にはカラー感熱記録紙２が通過する開口１４が設けられている。
【００１６】
外装部材１３の内側には、記録紙出入口１２を光密に塞ぐ閉鎖位置と、図中２点鎖線で示すように、記録紙出入口１２を開放する開放位置との間で揺動自在とされたシャッタ板１６が組み込まれている。このシャッタ板１６は、通常時には図示しないバネの付勢によって記録紙出入口１２を塞ぎ、カラー感熱プリンタにセットされた際に、プリンタ側のシャッタ開放機構によって開放される。
【００１７】
マガジン本体５の両側には、記録紙ロール１８を支持する一対の支持板２２，２３が設けられている。これらの支持板２２，２３には、記録紙ロール１８の両端に取り付けられたフランジ２０の回転軸１９が挿入されるスリット２２ａ，２３ａが形成されている。また、これらの支持板２２，２３には、バネ２４の付勢によってフランジ２０の回転軸１９に当接し、記録紙ロール１８を支持板２２，２３のスリット２２ａ，２３ａに沿って押圧して、所定の位置に片寄せする片寄せ部材２６，２７がそれぞれ回動自在に取り付けられている。
【００１８】
また、マガジン本体５内には、記録紙ロール１８の外周に当接して、記録紙ロール１８を給紙方向と巻戻し方向とに回転させる駆動軸２９が回転自在に組み込まれている。この駆動軸２９は、鉄製の棒３０の外周に、ゴム等の被覆材３１で被覆を施してスリップを防止した構造となっている。この駆動軸２９の一端はマガジン本体５外に突出されており、この突出された駆動軸２９の端部には、カラー感熱プリンタにセットされた際にプリンタの駆動機構に噛合するギヤ３２が取り付けられている。
【００１９】
上記支持板２２，２３のスリット２２ａ，２３ａは、駆動軸２９に向かって形成されている。そのため、カラー感熱記録紙２が使用されて記録紙ロール１８の径が小さくなると、図５中に２点鎖線で示すように、記録紙ロール１８はバネ２４の付勢によって回動する片寄せ部材２６，２７に押されてスリット２２ａ，２３ａ内を移動し、外周が常に駆動軸２９に接触する。これにより、使用初期から使用終了まで、駆動軸２９は記録紙ロール１８を適正に回転させることができる。
【００２０】
カラー感熱プリンタの駆動機構は、プリント指示がなされると、一度、記録紙ロール１８を所定回転数だけ逆転させて、該ロール１８の巻き締めを行った後、正転させてカラー感熱記録紙２をプリント部へ給紙するようになっている。このため、前記記録紙ロール１８が巻き緩んだまま、給紙方向へ正転されて、給紙マガジン３内でジャミングを起こしたり、前記プリンタのプリント部内で斜行したりすることが防止される。
【００２１】
記録紙出入口１２の奥には、記録紙ロール１８の外周に弾性をもって接触して、記録紙ロール１８の外周からカラー感熱記録紙２の先端２ａを分離し、この分離された記録紙２の先端２ａを記録紙出入口１２に導く分離板３４が取り付けられている。この分離板３４はプラスチックの薄板で形成されており、マガジン本体５の前面側内壁に取り付けられるプラスチック製のブラケット３５に組み付けられている。
【００２２】
分離板３４は、記録紙ロール１８の外径が大きい場合は、全体的に撓んで記録紙ロール１８の外周に圧接する。また、記録紙ロール１８の外径が小さくなっても、弾性をもって記録紙ロール１８の外周に圧接する。このように、分離板３４は、記録紙ロール１８の外径に係わらず適正にカラー感熱記録紙２の先端を分離することができる。
【００２３】
また、分離板３４の先端部分は、記録紙ロール１８が正転する時に先端２ａを分離する向きで設けられている。このため、先端止めテープ２１を貼り付けたまま巻き戻し方向へ逆転される場合には、該テープ２１が分離板３４を通過しても、弾性変形で対応できるので破損することはない。したがって、ユーザーは、記録紙ロール１８をセットする際に、先端止めテープ２１の位置を任意の位置に合わせてセットすることができる。
【００２４】
図１に示すように、ブラケット３５の上方には、記録紙ロール１８が最大径の時にその外周面に当接するように、テープ受け止め板３６が設けられている。このテープ受け止め板３６は、記録紙ロール１８が巻き戻し方向に逆転される際に、前記先端止めテープ２１の端部に当接し、記録紙ロール１８の回転を止める。
【００２５】
このテープ受け止め板３６は、駆動軸２９から記録紙ロール１８に伝えられるトルクに対抗できるように、剛性の高いプラスチックで形成され、本実施形態においてはブラケット３５と一体成形されている。もちろん、一体成形でなくてもよく、例えば、給紙マガジン本体５の内壁に直接設けてもよい。
【００２６】
次に、上記構成の作用について説明する。記録紙ロール１８は、出荷時において、記録紙２の先端２ａに先端止めテープ２１が貼られ、保湿能と遮光能とを備えた包装袋に入れられた後、梱包されて出荷される。記録紙ロール１８を給紙マガジン３へセットする場合は、まず、ロック部材１０のロックを外してマガジン蓋６を開放し、次にバネ２４の付勢に抗して両側の片寄せ部材２６，２７をマガジン蓋６側に揺動させる。これにより、支持板２２，２３のスリット２２ａ，２３ａが開放される。
【００２７】
包装袋から記録紙ロール１８を取り出し、巻芯の両端にフランジ２０を嵌め込む。次に、先端止めテープ２１を剥がして、フランジ２０の回転軸１９を支持板２２，２３のスリット２２ａ，２３ａに収める。記録紙ロール１８の収納後には、片寄せ部材２６，２７を揺動させてフランジ２０の回転軸１９に当接させる。最後に、マガジン蓋６を閉め、ロック部材１０でマガジン蓋６をロックする。マガジン本体５内では、分離板３４が、弾性をもって記録紙ロール１８の外周に接触する。また、記録紙ロール１８は最大径の状態にあるので、テープ受け止め板３６もその外周に接触する。
【００２８】
記録紙ロール１８が収納された給紙マガジン３をカラー感熱プリンタにセットすると、プリンタ内の駆動機構が給紙マガジン３の駆動軸２９に同軸で設けられたギヤ３２に噛合する。カラー感熱プリンタにプリント指示がなされると、カラー感熱プリンタでプリント準備が開始される。このプリント準備の際に、カラー感熱プリンタのシャッタ開放機構が、給紙マガジン３のシャッタ板１６を開放位置に回動させる。
【００２９】
また、カラー感熱プリンタの駆動機構が給紙マガジン３のギヤ３２を図５中において反時計方向に回転させ、この駆動軸２９に当接している記録紙ロール１８を図中時計方向の巻き戻し方向に所定数回転させる。この時、当接した駆動軸２９や、分離板３４との協働によって、記録紙ロール１８の巻き締めが行われる。この際には、先端止めテープ２１は剥がされているから、テープ受け止め板３６は、記録紙ロール１８の外周面と摺接するだけで、該テープ２１と当接することはない。
【００３０】
プリンタの駆動機構は、巻き戻し方向への逆転が終了した後、ギヤ３２を図１中において時計方向に回転させ、この駆動軸２９に当接している記録紙ロール１８を図中反時計方向の給紙方向に正転させる。記録紙ロール１８の１回転以内でカラー感熱記録紙２の先端２ａが分離板３４の先端部に当接し、記録紙ロール１８の外周から分離する。記録紙ロール１８の外周から分離された先端２ａは、分離板３４に沿って記録紙出入口１２に進入し、開口１４から給紙マガジン３外に送り出される。
【００３１】
給紙マガジン３から送り出されたカラー感熱記録紙２は、カラー感熱プリンタによってフルカラー画像が熱記録され、規定のプリントサイズにカットされてプリンタ外に排出される。プリントが終了すると、カラー感熱プリンタの駆動機構は、ギヤ３２を給紙方向と反対の巻き戻し方向に回転させ、カラー感熱記録紙２を給紙マガジン３内に巻き戻す。
【００３２】
なお、再度、プリントを行う場合には、プリント指示がなされた後、記録紙ロール１８は、一度前記所定数逆転される。これにより、該ロール１８の巻き締めが行われ、その後、給紙方向への正転が行われる。
【００３３】
次に、先端止めテープ２１を剥がし忘れた場合について説明する。記録紙ロール１８の逆転時に、先端止めテープ２１の端部２１ａがテープ受け止め板３６に当接する。テープ受け止め板３６の高い剛性により、先端止めテープ２１が撓んで、駆動軸２９のトルクに抗して記録紙ロール１８の回転が止められる。これにより駆動軸２９に回転方向と逆方向のトルクがかかる。カラー感熱プリンタのプリンタ駆動機構は、このトルクを検知して駆動モータの回転を止める。
【００３４】
駆動モータの停止と同時に、警告音を発生させ、また、プリンタのディスプレイにアラーム表示が行われる。これにより、記録紙ロール１８が先端止めテープ２１を貼り付けたまま給紙方向に正転して、弾性をもった薄い分離板３４に先端止めテープ２１を引っかけて破損することはなくなる。テープの剥がし忘れが警告された場合には、テープを剥がしてから、再度、実行すればよい。
【００３５】
上記実施の形態における先端止めテープ２１は、片面の全面に粘着剤２５が塗布されたものが用いられ、これを先端２ａが位置する記録紙ロール１８の外周面に貼り付けられているが、この他に、図６（Ａ）に示すように、先端止めテープ４１のテープ受け止め板３６に当接する端部４１ａを非粘着面としたものを用いてもよい。これによれば、端部４１ａが記録紙ロール１８の外周面と密着せず剥離することになる。
【００３６】
このため、端部４１ａとテープ受け止め板３６の当接がより確実に行われる。また、前記端部４１ａが静電気等によって記録紙ロール１８の外周面に密着していた場合でも、粘着剤２５が塗布されていない非粘着面となっているから、前記外周面から容易に剥離することになり、同様の効果が得られる。
【００３７】
また、図６（Ｂ）に示す先端止めテープ４２は、テープ受け止め板３６に当接する端部４２ａを、粘着剤２５が全面に塗布された先端止めテープ４２の一端を粘着面同志が貼り付けられる方向に折り返して非粘着面としている。これによれば上記先端止めテープ４１と同様の効果を得ることができるほか、通常のテープをそのまま使用することができるのでコストの増加を抑えることができる。
【００３８】
なお、上記各実施形態は、カラー感熱記録紙を収納する給紙マガジンを例に説明したが、本発明は、印画紙を収納する給紙マガジンや、その他の記録紙ロール及びこれを収納する給紙マガジンにも用いることができる。
【００３９】
【発明の効果】
以上詳細に説明したように、本発明の給紙マガジンは、先端止めテープに当接するテープ受け止め板を設けたから、先端止めテープを剥がし忘れてセットした場合でも、先端分離爪の破損を防止することができる。
【００４０】
また、本発明の先端止めテープは、前記テープ受け止め板に当接する端部を、粘着剤が塗られていない非粘着面としたから、前記テープ受け止め板への当接をより確実に行うことができる。この結果、より確実に先端分離爪の破損を防止することができる。
【図面の簡単な説明】
【図１】本発明の給紙マガジンのテープ受け止め状態を示す要部断面図である。
【図２】給紙マガジンの外観を示す斜視図である。
【図３】マガジン蓋開放時の外観斜視図である。
【図４】包装袋から取りだされた、新しい記録紙ロールの外観斜視図である。
【図５】給紙マガジンの構成を示す要部断面図である。
【図６】本発明の先端止めテープを示す断面図である。
【符号の説明】
２  カラー感熱記録紙
２ａ  記録紙の先端部
３  給紙マガジン
１２  記録紙出入口
１８  記録紙ロール
２１，４１，４２  先端止めテープ
３４  分離板
３６  テープ受け止め板
【図１】
0003805545.tif 000002
【図２】
0003805545.tif 000003
【図３】
0003805545.tif 000004
【図４】
0003805545.tif 000005
【図５】
0003805545.tif 000006
【図６】
0003805545.tif 000007